(57)【要約】【課題】マルチ画面表示機能を備えた映像表示装置が，複数の表示画面に対応する音声データを複数の音声出力端末に対して無線送信するとともに，操作端末（リモコン）からの操作信号を無線受信する場合に，部品点数を極力増やすことなく簡易な構成によって複数の無線信号の混信を回避できること。【解決手段】映像表示装置が，複数の映像信号又はそれらを合成した映像信号を映像信号バッファ５に一時蓄積することによりその信号に基づく映像画面の表示タイミングを遅延させ，複数の映像信号それぞれに対応して入力される複数の音声信号に基づく音声データを，これに対応する映像信号が映像信号バッファ５に一時蓄積されている間に赤外線信号により複数の映像画面それぞれに対応する音声信号出力機能を備えた複数のリモコンＹに対して間欠送信し，音声データ送信がない隙間期間に，赤外線信号により複数のリモコンＹから操作信号を時分割で受信する。【選択図】図１
2009021753.tif 000002
【特許請求の範囲】
【請求項１】
入力された複数の映像信号に基づく複数の映像画面を映像表示手段にマルチ画面表示させるマルチ画面制御手段を備えた映像表示装置であって，
前記複数の映像信号又はそれらを合成した映像信号を一時蓄積することによりその信号に基づく前記映像画面が前記映像表示手段に表示されるタイミングを遅延させる映像出力遅延手段と，
前記複数の映像信号それぞれに対応して入力される複数の音声信号に基づく音声データを，これに対応する映像信号が前記映像出力遅延手段により一時蓄積されている間に第１の無線信号により前記複数の映像画面それぞれに対応する外部の複数の音声出力端末に対して間欠送信する音声データ送信手段と，
前記音声データ送信手段によるデータ送信がない隙間期間に，前記第１の無線信号と周波数帯域が重複する第２の無線信号により前記複数の映像画面それぞれに対応する外部の複数の操作端末から操作信号を受信する操作信号受信手段と，
を具備してなることを特徴とする映像表示装置。
【請求項２】
前記操作信号受信手段が，１つの前記隙間期間において前記複数の操作端末からの前記操作信号を時分割により順次受信してなる請求項１に記載の映像表示装置。
【請求項３】
前記操作信号受信手段によりある前記隙間期間において１つの前記操作端末から予め定められた特定の操作信号が受信された場合に，
前記音声データ送信手段が，前記音声出力端末と接続された若しくは一体に構成された他の前記操作端末に対して前記音声データとともに前記操作信号の送信禁止指令を送信し，
前記操作信号受信手段が，所定の禁止解除条件が成立するまでの次以降の前記隙間期間において１つの前記操作端末からの前記操作信号のみを受信してなる請求項２に記載の映像表示装置。
【請求項４】
前記マルチ画面制御手段が，
前記音声データ送信手段により前記操作信号の送信禁止指令が送信されてから前記禁止解除条件が成立するまで，前記操作信号の送信禁止指令の送信先の前記操作端末に対応する前記映像画面について前記操作信号を受け付けない状態である旨を前記映像表示手段に表示させてなる請求項３に記載の映像表示装置。
【請求項５】
前記禁止解除条件が，予め定められた時間が経過すること，又は所定の解除要求が前記操作端末から前記操作信号受信手段を通じて受信されることである請求項３又は４のいずれかに記載の映像表示装置。
【請求項６】
前記第１の無線信号と前記第２の無線信号とが同じ周波数帯域の無線信号である請求項１〜５のいずれかに記載の映像表示装置。
【請求項７】
前記第１の無線信号と前記第２の無線信号とが赤外線信号である請求項１〜６のいずれかに記載の映像表示装置。
【請求項８】
所定の操作部に対する操作がなされた場合に，該操作に応じた操作信号を，複数の映像画面を映像表示手段にマルチ画面表示させる機能を備えた映像表示装置に対して所定の無線信号により送信する操作端末であって，
前記映像表示装置から所定の無線信号により間欠的に送信される音声データを受信すること又は該音声データを受信する他の装置からの有線信号を受信することにより，前記音声データの送信がない隙間期間の発生時点を検知する隙間期間検知手段と，
前記操作部に対する操作がなされた場合に，該操作に応じた操作信号を，前記隙間期間検知手段により検知された前記隙間期間の発生時点以降の予め定められたタイミングにおいて所定の無線信号により送信する操作信号送信手段と，
を具備してなることを特徴とする操作端末。
【請求項９】
前記映像表示装置から前記音声データとともに送信されるデータを受信すること又は前記音声データを受信する他の装置からの有線信号を受信することにより，前記映像表示装置から当該操作端末に対して前記操作信号の送信禁止指令が送信されたことを検知する送信禁止指令検知手段と，
前記送信禁止指令検知手段により当該操作端末に対する前記送信禁止指令の送信がなされたことが検知された場合に，次以降の前記隙間期間において所定の禁止解除条件が成立するまで前記操作信号送信手段による前記操作信号の送信を禁止する操作信号送信禁止手段と，
を具備してなる請求項８に記載の操作端末。
【請求項１０】
所定の操作に応じて，前記操作信号送信手段による前記操作信号の送信タイミングを予め定められた複数の候補の中から選択して切り替える操作信号送信タイミング切替手段を具備してなる請求項８又は９のいずれかに記載の操作端末。
【発明の詳細な説明】
【技術分野】
【０００１】
本発明は，マルチ画面表示機能を備えた映像表示装置及びこれに操作信号を無線送信する操作端末に関するものである。
【背景技術】
【０００２】
昨今，テレビジョン受像機に代表される映像表示装置は，入力された複数の映像信号に基づく複数の映像画面を映像表示部（液晶表示パネルなど）にマルチ画面表示させるマルチ画面機能を備えたものが多い。
一般に，マルチ画面機能を備えた映像表示装置は，表示中の複数の画面のいずれかに対応する音声をスピーカを通じて出力する機能を備えている。
ところで，液晶テレビやプラズマテレビ等の映像表示装置は，大型の映像表示部を備えるため，マルチ画面表示中の複数の画面それぞれのサイズも比較的大きい。このため，複数のユーザそれぞれが見たい映像をマルチ画面表示させ，それらを音声とともに同時に視聴できれば便利である。例えば，映像表示装置が，マルチ画面表示中の複数の画面それぞれに対応する音声データを無線信号により出力し，表示中の画面それぞれに対応した複数の音声出力端末が，その音声データそれぞれを受信するとともに，受信した音声データに基づく音声をヘッドホンやイヤホンを通じて出力するＡＶシステムが存在すれば好適である。但しこの場合，複数の画面に対応する音声データ送信用の無線信号と，リモコン（操作端末）からの操作信号受信用の無線信号との混信を回避する必要がある。
一方，特許文献１には，赤外線により信号伝送を行う送信部と受信部とのセットを複数系統設け，そのそれぞれに偏光板を設けることにより，映像情報，音声情報，制御情報等を，複数系統で混信しないで伝送できる光伝送システムが示されている。
【特許文献１】特開平９−８３４３７号公報
【発明の開示】
【発明が解決しようとする課題】
【０００３】
しかしながら，映像表示装置において，特許文献１に示される光伝送システム適用し，マルチ画面表示中の複数の画面それぞれに対応する音声データを送信するための複数の赤外線送信部及び偏光板と，リモコン（操作端末）からの操作信号を受信するための赤外線受信部及び偏光板とを設けると，部品点数が増えるために組み立て工数の増大及びコストの増大を招くという問題点があった。この問題点は，複数種類の無線信号を用いて操作信号及び音声データの伝送を行う場合も同様に生じる。また，偏光板による赤外線のフィルタリング（分離）は，向きが９０度異なる２つの偏光板を用いて行われ，特許文献１に示されるように，偏光板を用いて混信を防止する場合，赤外線信号が２つである場合にしか適用できないという問題点もある。
従って，本発明は上記事情に鑑みてなされたものであり，その目的とするところは，マルチ画面表示機能を備えた映像表示装置が，複数の表示画面に対応する音声データを複数の音声出力端末に対して無線送信するとともに，操作端末（リモコン）からの操作信号を無線受信する場合に，部品点数を極力増やすことなく簡易な構成によって複数の無線信号の混信を回避できる映像表示装置及びこれに操作信号を送信する操作端末（いわゆるリモコン）を提供することにある。
【課題を解決するための手段】
【０００４】
上記目的を達成するために本発明に係る映像表示装置は，入力された複数の映像信号に基づく複数の映像画面を映像表示手段にマルチ画面表示させるマルチ画面制御手段を備え，さらに，次の（１−１）〜（１−３）に示す各構成要素を備えるものである。
（１−１）前記複数の映像信号又はそれらを合成した映像信号を一時蓄積することによりその信号に基づく前記映像画面が前記映像表示手段に表示されるタイミングを遅延させる映像出力遅延手段。
（１−２）前記複数の映像信号それぞれに対応して入力される複数の音声信号に基づく音声データを，これに対応する映像信号が前記映像出力遅延手段に一時蓄積されている間に第１の無線信号により前記複数の映像画面それぞれに対応する外部の複数の音声出力端末に対して間欠送信する音声データ送信手段。
（１−３）前記音声データ送信手段によるデータ送信がない隙間期間に，前記第１の無線信号と周波数帯域が重複する第２の無線信号により前記複数の映像画面それぞれに対応する外部の複数の操作端末から操作信号を受信する操作信号受信手段。
ここで，前記第１の無線信号及び前記第２の無線信号は，同じ周波数帯域の無線信号であること，また，いずれも赤外線信号であることが考えられる。
また，前記操作信号受信手段が，１つの前記隙間期間において前記複数の操作端末からの前記操作信号を時分割により順次受信することが考えられる。なお，前記音声データの送信期間及び前記隙間期間を短く区分することにより，１つの前記隙間期間ごとに１つの前記操作端末を順次割り当ててその操作端末からの前記操作信号を受信すること等も考えられる。
【０００５】
本発明に係る映像表示装置は，複数の映像信号に対応する（複数の表示画面に対応するといっても同義）音声データを複数の音声出力端末に対して無線送信するタイミングと，複数の表示画面に対応する複数の操作端末（リモコン）それぞれからの操作信号を無線受信するタイミングとを時分割により制御するものであるため，複数の表示画面ごとに無線信号の伝送手段（前記音声データ送信手段及び前記操作信号受信手段）を備えなくても，無線信号の混信を回避できる。
さらに，本発明に係る映像表示装置は，映像信号を一時蓄積してその映像の表示タイミングを遅延させている間に，その映像信号に対応する音声データを無線送信するので，映像表示装置における映像の表示タイミングに対し，音声出力端末それぞれにおける音声出力タイミングが遅れる（ずれる）ことを回避できる。
【０００６】
また，本発明に係る映像表示装置において，前記操作信号受信手段によりある前記隙間期間において１つの前記操作端末から予め定められた特定の操作信号が受信された場合に，前記音声データ送信手段が，前記音声出力端末と接続された若しくは一体に構成された他の前記操作端末に対して前記音声データとともに前記操作信号の送信禁止指令を送信し，前記操作信号受信手段が，所定の禁止解除条件が成立するまでの次以降の前記隙間期間において１つの前記操作端末からの前記操作信号のみを受信することが考えられる。なお，前記音声出力端末と接続された若しくは一体に構成された他の前記操作端末は，前記音声出力端末を通じて前記送信禁止指令の受信を検知し，その受信に応じて操作信号の送信を禁止する。
ここで，前記特定の操作信号は，例えば，音量アップ又は音量ダウンの操作ボタンを押し続ける操作に応じて音量の増減調節を要求する操作信号のように，連続的な送信を要するために前記隙間期間において各操作端末に通常割り当てられる時間内に送信を完結できない操作信号である。
これにより，本発明に係る映像表示装置は，比較的長時間を要する処理を要求する前記特定の操作信号にも対応できる。
また，前記マルチ画面制御手段が，前記音声データ送信手段により前記操作信号の送信禁止指令が送信されてから前記禁止解除条件が成立するまで，前記操作信号の送信禁止指令の送信先の前記操作端末に対応する前記映像画面について前記操作信号を受け付けない状態である旨を前記映像表示手段に表示させることが考えられる。
これにより，前記操作端末の操作者（ユーザ）が，装置の故障等によって操作不能状態に陥っていると勘違いすることを防止できる。
また，前記禁止解除条件としては，例えば，予め定められた時間が経過すること，又は所定の解除要求が前記操作端末から前記操作信号受信手段を通じて受信されること等が考えられる。
【０００７】
一方，本発明は，以上に示した本発明に係る映像表示装置に対し，マルチ画面表示される画面ごとに設けられ，対応する画面に関する操作信号を送信する操作端末として捉えることもできる。
本発明に係る操作端末は，所定の操作部に対する操作がなされた場合に，その操作に応じた操作信号を，複数の映像画面を映像表示手段にマルチ画面表示させる機能を備えた映像表示装置に対して所定の無線信号により送信するものであり，次の（２−１）及び（２−２）に示す各構成要素を備えるものである。
（２−１）前記映像表示装置から所定の無線信号により間欠的に送信される音声データを受信すること又はその音声データを受信する他の装置（前記音声出力端末に相当）からの有線信号を受信することにより，前記音声データの送信がない隙間期間の発生時点を検知する隙間期間検知手段。
（２−２）前記操作部に対する操作がなされた場合に，その操作に応じた操作信号を，前記隙間期間検知手段により検知された前記隙間期間の発生時点以降の予め定められたタイミングにおいて所定の無線信号により送信する操作信号送信手段。
本発明に係る操作端末は，同じ映像表示装置に対して設けられる他の操作端末との間で前記操作信号の送信タイミングが重複しないように，「前記隙間期間の発生時点以降の予め定められたタイミング」が個別に設定されている。その結果，本発明に係る操作端末は，操作信号を，前記映像表示装置からの音声データ伝送用の無線信号，及び他の操作端末からの操作信号伝送用の無線信号との混信を回避しして無線送信できる。
なお，前記隙間期間検知手段が，前記音声データを受信することによって前記隙間期間の発生時点を検知するということは，当該操作端末が前記音声出力端末と一体に構成されているということである。一方，前記隙間期間検知手段が，前記音声データを受信する他の装置からの有線信号を受信することによって前記隙間期間の発生時点を検知するということは，当該操作端末が前記音声出力端末と有線接続されているということである。
【０００８】
また，本発明に係る操作端末が，さらに次の（２−３）及び（２−４）に示す各構成要素を備えることが考えられる。
（２−３）前記映像表示装置から前記音声データとともに送信されるデータを受信すること又は前記音声データを受信する他の装置からの有線信号を受信することにより，前記映像表示装置から当該操作端末に対して前記操作信号の送信禁止指令が送信されたことを検知する送信禁止指令検知手段。
（２−４）前記送信禁止指令検知手段により当該操作端末に対する前記送信禁止指令の送信がなされたことが検知された場合に，次以降の前記隙間期間において所定の禁止解除条件が成立するまで前記操作信号送信手段による前記操作信号の送信を禁止する操作信号送信禁止手段。
これにより，他の操作端末が，前記隙間期間において通常割り当てられる時間内に送信を完結できない特定の操作信号を送信する際に，その特定の操作信号の送信を当該操作端末の操作信号の送信よりも一時的に優先させることができる。
また，本発明に係る操作端末が，所定の切替操作に応じて，前記操作信号送信手段による前記操作信号の送信タイミングを予め定められた複数の候補の中から選択して切り替える操作信号送信タイミング切替手段を具備すれば好適である。
このような操作端末は，１台の前記映像表示装置に対して複数設けられる当該操作端末相互間で前記操作信号の送信タイミングが重複しないように，「前記隙間期間の発生時点以降の予め定められたタイミング」を事後的に個別に設定する（切り替える）ことができる。これにより，１台の前記映像表示装置に対して複数設けられる当該操作端の共通化が図れる。
【発明の効果】
【０００９】
本発明によれば，マルチ画面表示機能を備えた映像表示装置が，複数の表示画面に対応する音声データを複数の音声出力端末に対して無線送信するとともに，操作端末（リモコン）からの操作信号を無線受信するにあたり，映像表示装置における複数の表示画面ごとに無線信号の伝送手段（前記音声データ送信手段及び前記操作信号受信手段）を備える必要がなく，部品点数を極力増やすことなく簡易な構成によって複数の無線信号の混信を回避できる。さらに，映像表示装置における映像の表示タイミングに対し，音声出力端末それぞれにおける音声出力タイミングが遅れる（ずれる）ことも回避できる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る映像表示装置の一例であるテレビジョン受像機Ｘの概略構成を表すブロック図，図２はテレビジョン受像機Ｘとの間で無線信号の送受信を行うリモコンの概略構成を表すブロック図，図３はテレビジョン受像機Ｘとリモコンとの間における信号伝送のタイムチャート，図４は通常モード時におけるリモコンからテレビジョン受像機Ｘへの操作信号の送信タイミングを表すタイムチャート，図５は連続送信モード時におけるリモコンからテレビジョン受像機Ｘへの操作信号の送信タイミングを表すタイムチャート，図６は占用モード時におけるテレビジョン受像機Ｘの表示画面の一例を表す図である。
【００１１】
まず，図１に示すブロック図を参照しつつ，本発明の実施形態に係る映像表示装置の一例であるテレビジョン受像機Ｘの構成について説明する。
図１に示すように，テレビジョン受像機Ｘは，複数のチューナ１ａ，１ｂと，外部入力部２と，映像処理回路３と，画面合成切替回路４と，映像信号バッファ５と，操作信号受信回路６と，音声データ送信回路７と，制御回路８と，計時回路９と，映像表示部２１と，音声切替回路１０と，音声処理回路１１と，音声信号バッファ１２と，アンプ２２と，スピーカ２３と，音声符号化回路１３とを具備している。
テレビジョン受像機Ｘは，前記チューナ１ａ，１ｂ及び前記外部入力部２を通じて入力された複数の映像信号に基づく複数の映像画面を前記映像表示部２１にマルチ画面表示させるマルチ画面制御機能を備えている。なお，マルチ画面制御機能は，前記制御回路８及び前記画面合成切替回路４によって実現される。
テレビジョン受像機Ｘの特徴は，複数の映像信号に対応する音声データを複数のリモコンＹ１〜Ｙ３（音声出力端末及び操作端末を一体にしたもの）に対して無線送信するタイミングと，複数の表示画面に対応する複数のリモコンＹ１〜Ｙ３それぞれからの操作信号を無線受信するタイミングとを時分割により制御する点である。その詳細については後述する。
【００１２】
前記チューナ１ａ，１ｂは，放送信号を入力し，前記制御回路８から指示された放送チャンネルの信号を入力信号から抽出（選局）するとともに，その抽出信号の検波によって映像信号及び音声信号を取り出し，その映像信号及び音声信号の各々を前記映像処理回路３及び前記音声切替回路１０各々へ伝送するものである。
前記外部入力部２は，外部からコンポジット方式の映像信号及び音声信号や，セパレート方式の映像信号及び音声信号（いわゆるＳ端子の信号）等の外部入力映像信号及び外部入力音声信号を入力し，それらを前記映像処理回路３及び前記音声切替回路１０各々へ伝送するインターフェースである。
なお，各チューナ１ａ，１ｂ及び前記外部入力部２を通じて入力される各音声信号は，前記音声符号化回路１３にも伝送される。
【００１３】
前記映像処理回路３は，前記チューナ１ａ，１ｂから出力された映像信号各々に対して各種信号処理（例えば，所定の画質改善処理等）を行い，処理後の映像信号を前記画面合成切替手段４に出力する。
前記画面合成切替回路４は，前記制御回路８からの指令に従って，前記映像処理回路３から伝送されてくる複数の映像信号のいずれかを切り替えて前記映像表示部２１に出力することにより，前記映像表示部２１に１つの映像画面を表示させるか，任意の２つ又は３つの映像信号を合成して合成後の映像信号を前記映像表示部２１に出力することにより，前記映像表示部２１に複数の映像画面を並べて同時表示させる（マルチ画面表示させる）かを切り替えるものである。このように，前記制御回路８及び前記画面合成切替回路４は，入力された複数の映像信号に基づく複数の映像画面を映像表示部２１にマルチ画面表示させるマルチ画面制御手段の一例である。
さらに，前記画面合成切替回路４は，前記制御回路８から入力される挿入情報を，出力する映像信号にスーパーインポーズする機能も備えている。
なお，前記画面合成切替回路４から出力される映像信号は，前記映像信号バッファ５を通じて前記映像表示部２１に出力される。
【００１４】
前記映像信号バッファ５は，前記画面合成切替回路４から出力される映像信号（複数の映像信号のいずれか，又はその複数の映像信号を合成した映像信号）を予め定められた時間分だけ一時蓄積し，その後，その映像信号を前記映像表示部２１に対して出力するバッファでる。この映像信号バッファ５は，映像信号を一時蓄積することにより，その映像信号に基づく映像画面が前記映像表示部２１に表示されるタイミングを予め定められた時間分だけ遅延させる機能を果たすものである（前記映像出力遅延手段の一例）。なお，前記映像信号バッファ５が，前記映像処理回路３の前段又は後段において，複数の映像信号それぞれを所定時間分だけ一時蓄積することにより，その信号に基づく映像画面が前記映像表示部２１に表示されるタイミングを遅延させることも考えられる。
前記映像表示部２１は，例えば，いわゆるワイド画面を形成する液晶表示パネル及びそれを背面から照明するバックライトを備え，前記画面合成切替回路５から前記映像信号バッファ５を通じて伝送されてくる映像信号を映像化して表示するものである。
【００１５】
前記計時回路９は，クロック発振器を備え，現在時刻の計時及び前記制御回路８からの計時開始指令に応じてその時点からの経過時間の計時を行う回路である。計時結果は前記制御回路８に伝送される。
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ａが実行する処理によって読み書きされる各種の情報を記憶するＥＥＰＲＯＭ８ｃ等を備え，当該テレビジョン受像機Ｘ全体を制御するものである。
【００１６】
前記操作信号受信回路６は，当該テレビジョン受像機Ｘの操作用の複数のリモコンＹ１〜Ｙ３（操作端末の一例）から，赤外線信号を用いた無線伝送を通じて操作信号を受信し，その操作信号を前記制御回路８に出力するものである。前記操作信号は，前記リモコンＹ１〜Ｙ３が，その操作部に対する操作に応じて無線送信する信号であり，例えば，選局チャンネルを指定する信号（チャンネル番号を表す信号等）や音量の増減を要求する信号などである。
例えば，前記制御回路８は，前記操作信号受信回路６を通じて選択チャンネルを指定する操作信号を取得した場合，その取得信号に基づいて前記チューナ１ａ，１ｂを制御することにより，複数チャンネルの中から前記映像表示部２１に番組映像の画面を表示させる放送チャンネルを選択（選局）する。
【００１７】
前記音声切替回路１０は，前記チューナ１ａ，１ｂ及び前記外部入力部２を通じて音声信号を入力し，それらの音声信号のうち前記制御回路８から指定された１つの音声信号を前記音声処理回路１１に出力するものである。
例えば，前記制御回路８は，前記操作信号受信回路６を通じて信号入力の切り替えを指示する操作信号（入力切替信号）を取得した場合，その取得信号に基づいて前記音声切替回路１０を制御することにより，前記チューナ１ａ，１ｂ及び前記外部入力部２を通じて入力される複数の音声信号の中から，その時点で前記映像表示部２１に表示中の映像画面の１つに対応するものを順次切り替えて選択し，選択した音声信号を前記音声処理回路１１に出力する。これにより，その出力された音声信号に基づく音声が前記スピーカ２３を通じて出力される。
前記音声処理回路１１は，前記制御回路８からの指示に従って，前記音声切替回路１０から出力された音声信号に対して各種信号処理を行うものである。例えば，前記スピーカ２３の特性に合わせたイコライズ処理や，サラウンド処理等を行う。
【００１８】
前記音声信号バッファ１２は，前記音声処理回路１１による処理後の音声信号を前記映像信号バッファ５の映像信号蓄積時間と同じ時間分だけ一時蓄積し，その後，その音声信号を前記アンプ２２に対して出力するバッファである。この音声信号バッファ５は，音声信号を一時蓄積することにより，その音声信号に基づく音声が前記スピーカ２３を通じて出力されるタイミングを予め定められた時間分だけ遅延させる機能を果たす。これにより，前記映像表示部２１による画面表示のタイミングと，その画面に対応する音声出力のタイミングとの同期がとられている。
前記アンプ２２は，前記音声信号バッファ１２から出力される音声信号を，前記制御回路８からの指示に従って増幅或いは減衰させる処理を行い，前記スピーカ２３に出力するものである。これにより，前記映像表示部２１に表示中の画面の１つに対応する音声が前記スピーカ２３から出力される。
【００１９】
前記音声符号化回路１３は，前記チューナ１ａ，１ｂ及び前記外部入力部２を通じて入力される複数の音声信号（即ち，複数の映像信号それぞれに対応して入力される音声信号）それぞれについて，予め定められた単位時間（区分）ごとに順次圧縮符号化し，符号化後の音声データを順次出力するものである。なお，本実施形態において，音声データとは圧縮符号化された音声データのことをいう。
前記音声データ送信回路７は，前記音声符号化回路１３により順次生成される音声データ（即ち，複数の映像信号それぞれに対応して入力される音声信号が圧縮符号化された音声データ）を，これに対応する映像信号が前記映像信号バッファ５により一時蓄積されている間に，赤外線信号（前記第１の無線信号の一例）により，外部の複数のリモコンＹ１〜Ｙ３に対して間欠送信するものである（音声データ送信手段の一例）。
ここで，音声データの伝送に用いられる赤外線信号（前記第１の無線信号の一例）と操作信号の伝送に用いられる赤外線信号（前記第２の無線信号の一例）とは，周波数帯域が同じ（重複の一例）である。
【００２０】
前記リモコンＹ１〜Ｙ３は，所定の操作部に対する操作（キーの押下）がなされた場合に，その操作に応じた操作信号を，マルチ画面表示機能を備えた前記テレビジョン受像機Ｘに対して赤外線信号により送信する操作端末である。
ところで，本実施形態において，複数の前記リモコンＹ１〜Ｙ３（以下，総称してリモコンＹという）は，前記映像表示部２１にマルチ画面表示されている複数の映像画面それぞれに対応するものであり，前記音声データを受信し，その音声データに基づく音声信号をヘッドホンやイヤホンに対して出力する音声出力端末としても機能する（前記音声出力端末の一例）。
【００２１】
図２は，前記リモコンＹの概略構成を表すブロック図である。
図２に示すように，前記リモコンＹは，操作部３１，リモコン制御回路３２，操作信号送信回路３３，音声データ受信回路３４，音声復号化回路３５，アンプ３６及び音声出力部３７を備えている。
前記操作部３１は，チャンネル選局キーや音量調節キーなどの複数の種操作キーからなる操作入力のインターフェースであり，操作（押下）されたキーに対応した操作信号が前記リモコン制御回路３２に伝送される。
前記操作信号送信回路３３は，前記操作部３１に対する操作に応じた操作信号を前記リモコン制御回路３２を通じて取得し，その操作信号を赤外線信号によって前記テレビジョン受像機Ｘに対して無線送信するものである。
前記リモコン制御回路３２は，前記操作部３１から伝送されてきた操作信号を前記操作信号送信回路３３を通じて無線送信するタイミングを制御するものであり，操作信号を一時記憶する不図示のバッファ及び不揮発性のメモリ３２ａを備えている。
また，前記リモコン制御回路３２は，前記操作部３１に対する所定の操作に応じて，当該リモコンＹの識別番号（例えば，１〜３）を前記メモリ３２ａに記録する。例えば，前記リモコン制御回路３２は，前記操作部３１における所定の設定キーと番号キーとの同時操作がなされたことを検知すると，その番号キーに対応する識別番号を不揮発性の前記メモリ３２ａに記録する。この識別番号は，複数のリモコンＹ１〜Ｙ３それぞれにおいて異なる番号が設定される。なお，この場合，前記リモコン制御回路３７は，その操作信号を前記テレビジョン受像機Ｘに対して送信しない。
なお，本実施形態では，前記リモコン制御回路３２が，前記操作部３１に対する操作に応じて操作信号の送信タイミングを規定する前記識別番号を前記メモリ３２ａに記録する例を示したが，当該リモコンＹが，前記識別番号を切り替えるためのスイッチ（ハードウェアスイッチ）を備え，前記リモコン制御回路３２が，そのスイッチの状態に基づいて前記識別番号を判別すること等も考えられる。
【００２２】
前記音声データ受信回路３４は，前記テレビジョン受像機Ｘから赤外線信号によって送信される音声データを受信し，その音声データを電気信号として前記音声復号化回路３５に伝送するものである。
前記音声復号化回路３５は，前記音声データ受信回路３４を通じて入力される音声データ（圧縮符号化されたデータ）を復号化するとともにアナログの音声信号に変換し，そのアナログ音声信号をアンプ３６に伝送するものである。
前記アンプ３６は，前記音声復号化回路３５から出力される音声信号を，前記リモコン制御回路３２からの指示に従って増幅或いは減衰させる処理を行い，前記音声出力部３７に伝送するものである。前記リモコン制御回路３２は，前記操作部３１を通じて得られる操作信号が当該リモコンＹの出力音声の音量調節を指示する信号である場合，その操作信号に基づいて前記アンプ３６を制御する。なお，この場合，前記リモコン制御回路３７は，その操作信号を前記テレビジョン受像機Ｘに対して送信しない。
前記音声出力部３７は，ヘッドホンやイヤホン等のスピーカが接続される端子である。従って，前記テレビジョン受像機Ｘから送信される音声データに基づく音声信号が前記音声出力部３７を通じて出力され，その出力音声信号に基づく音声がヘッドホンやイヤホン等を通じて出力される。
【００２３】
以下，図３及び図４に示すタイムチャートを参照しつつ，テレビジョン受像機ＸとリモコンＹとの間における赤外線信号の伝送タイミング制御について説明する。
テレビジョン受像機Ｘにおける赤外線信号の伝送タイミング制御の内容は，初期状態である通常モードと特定の条件が成立した状態である占用モードとで異なる。
同様に，リモコンＹにおける赤外線信号の伝送タイミング制御の内容は，初期状態である通常モードと特定の条件が成立した他の２つの状態である連続送信モード又は送信禁止モードとで異なる。
以下，まずは前記通常モードにおけるテレビジョン受像機Ｘの処理について説明する。
テレビジョン受像機Ｘにおいて，まず，前記制御回路８が，前記計時回路９に対し，一定周期（例えば１秒周期）でＯＮ／ＯＦＦが変化する同期信号Ｓｇ１を生成させる。図３に示す例では，同期信号Ｓｇ１のＯＮ／ＯＦＦのデューティー比は１：１（５００ｍｓ：５００ｍｓ）である。
そして，前記制御回路８は，前記同期信号Ｓｇ１に基づいて，前記映像表示部２１により表示中の１又は複数の映像画面に対応する音声データｄ１（前記音声符号化回路１３により順次生成される圧縮符号化データ）を前記音声データ送信回路７を通じて一括送信する期間と，前記リモコンＹからの操作信号ｄ２を前記操作信号受信回路６を通じて受信する期間とを切り替えることにより，音声データｄ１の送信及び操作信号ｄ２の受信の時分割制御を行う。図３に示す例は，前記同期信号Ｓｇ１がＯＮのタイミングで音声データｄ１の送信が行われ，前記同期信号Ｓｇ１がＯＦＦのタイミングで操作信号ｄ２の受信が行われる例を表す。
【００２４】
前記映像表示部２１がマルチ画面表示状態である場合，前記音声データ送信回路７を通じて送信される音声データｄ１には，各映像画面に対応する所定時間長分の複数の音声データｄ１１〜ｄ１３（図中，画面１対応データ，画面２対応データ・・と表記）が含まれる。各音声データｄ１１〜ｄ１３がいずれの映像画面に対応するものであるかは，例えば，データ並びの順序や，各データに付加される識別番号等によって識別可能となっている。
ここで，前記映像信号バッファ５及び前記音声信号バッファ１２による信号遅延時間は，各音声データｄ１１〜ｄ１３の実時間長（元の音声信号の時間長）と，その音声データｄ１１〜ｄ１３を生成するのに要する時間（圧縮符号化の処理時間）と，赤外線により音声データｄ１をテレビジョン受像機ＸからリモコンＹに伝送するのに要する時間と，リモコンＹにおいて音声データｄ１１〜ｄ１３を復号化して音声出力を開始するのに要する時間との合計時間以上である。
これにより，前記制御回路８及び音声データ送信回路７は，映像表示部２１に表示中の画面に対応する１又は複数の映像信号それぞれに対応して入力される１又は複数の音声信号に基づく音声データを，これに対応する映像信号が前記映像信号バッファ５により一時蓄積されている間（出力遅延がなされている間）に，赤外線信号により複数の前記リモコンＹ１〜Ｙ３（音声出力端末の一例）に対して間欠送信する（前記音声データ送信手段の一例）。
【００２５】
また，前記制御回路８及び前記操作信号受信回路６は，前記同期信号Ｓｇ１に基づいて，前記音声データ送信回路７を通じたデータ送信を行わない隙間期間Ｔｓ（図３の例では前記同期信号Ｓｇ１がＯＦＦの期間）に，音声データ送信用と同じ赤外線信号により，複数のリモコンＹ１〜Ｙ３（操作端末の一例）から前記操作信号ｄ２を受信する（前記操作信号受信手段の一例）。
その際，前記制御回路８は，１つの前記隙間期間Ｔｓにおいて複数の前記リモコンＹ１〜Ｙ３からの個別の操作信号ｄ２１〜ｄ２３を時分割により順次受信する。
例えば，図４に示すように，１つの前記隙間期間Ｔｓにおいて複数の前記リモコンＹ１〜Ｙ３それぞれの操作信号ｄ２１〜ｄ２３の伝送期間が予め定められており，前記制御回路８は，前記操作信号受信回路６を通じて操作信号が受信された場合に，その受信時点が各伝送期間のいずれの期間内であるかにより，その操作信号が複数のリモコンＹ１〜Ｙ３のいずれから送信されたものであるかを判別する。図４に示す例は，前記隙間期間Ｔｓの開始時点から所定の固定時間（例えば，１５０ｍｓ程度）ごとに区分した期間を，複数のリモコンＹ１〜Ｙ３それぞれの操作信号ｄ２１〜ｄ２２の伝送期間とする例である。
【００２６】
次に，前記通常モードにおけるリモコンＹ側の処理について説明する。
リモコンＹ側では，まず，前記音声データ受信回路３４が，前記テレビジョン受像機Ｘから赤外線信号により間欠的に送信される前記音声データｄ１を受信し，前記リモコン制御回路３２が，その音声データｄ１の受信終了時点，即ち，前記隙間期間Ｔｓの発生時点を検知する（前記隙間期間検知手段の一例）。
なお，リモコンＹが音声出力端末としての機能を有さない場合，リモコンＹが，別に存在する音声出力端末と有線接続され，その音声出力端末から前記隙間期間Ｔｓの発生時点を通知する有線信号を入力し，その入力信号によって前記隙間期間Ｔｓの発生時点を検知することも考えられる。
さらに，前記リモコン制御回路３２は，図４に示すように，前記隙間期間Ｔｓの発生時点から所定の固定時間（例えば，１５０ｍｓ程度）ごとに送信タイミング信号Ｓｇ２を発生させる。
そして，前記リモコン制御回路３２は，前記操作部３１に対する操作がなされた場合に入力される前記操作信号を不図示のバッファに一時蓄積し，前記隙間期間Ｔｓの発生時点から前記送信タイミング信号Ｓｇ２が予め定められた回数（以下，設定回数Ｐｓという）だけ生成された時点，即ち，前記隙間期間Ｔｓの発生時点以降の予め定められたタイミングにおいて，前記バッファに一時蓄積した前記操作信号を前記操作信号送信回路３３を通じて赤外線信号により送信する（前記操作信号送信手段の一例）。ここで，前記設定回数Ｐｓは，前記リモコン制御回路３２によって予め前記メモリ３２ａに記録された前記識別番号に対応する回数である。例えば，前記設定回数Ｐｓの値は，前記識別番号（例えば，１〜３のいずれか）の値と同じであり，複数のリモコンＹ１〜Ｙ３においてそれぞれ異なる値（回数）である。
これにより，複数のリモコンＹ１〜Ｙ３から無線送信される前記操作信号ｄ２１〜ｄ２３の干渉が回避される。
また，前記リモコン制御回路３２は，前記操作部３１に対する所定の操作に応じて前記識別番号を記録し，その番号に従って前記送信信号の送信タイミングを制御する。これにより，前記リモコン制御回路３２は，前記操作信号送信回路３３を通じた操作信号の送信タイミングを，予め定められた複数の候補（例えば，１〜３回目の前記送信タイミング信号Ｓｇ２の発生時点）の中から選択して切り替える機能を果たす（前記操作信号送信タイミング切替手段の一例）。
【００２７】
次に，図５に示すタイムチャートを参照しつつ，前記占用モード，前記連続送信モード及び前記送信禁止モードへの移行処理及びそれらのモードへの移行後の処理について説明する。
前記通常モードにおいて，リモコンＹ側の前記リモコン制御回路３２は，前記操作部３１に対して予め定められた特定の操作がなされたことを検知した場合，その操作に応じた特定の操作信号を，前記操作信号送信回路３３を通じて無線送信し，その後，次の前記隙間期間Ｔｓの発生時点から，所定の解除条件が成立するまで前記連続送信モードへ移行する。例えば，前記制御回路８は，前記操作部３１の一部である音量アップキー又は音量ダウンキーに対する長押し操作（所定時間以上継続して押下される操作）を検知した場合，音量の連続的アップ又は連続的ダウンを指示する操作信号（前記特定の操作信号の一例）を前記操作信号送信回路３３を通じて無線送信した後，前記連続送信モードへ移行する。
前記連続送信モードの解除条件（前記禁止解除条件に相当）は，例えば，予め定められた時間が経過することや，或いは前記操作部３１に対する特定の操作（長押し操作等）が解除されたこと等が考えられる。
前記連続送信モードにおいては（即ち，前記解除条件が成立するまでの次以降の前記隙間期間Ｔｓにおいては），前記リモコン制御回路３２は，図５に示すように，前記隙間期間Ｔｓのほぼ全体を使って，即ち，前記通常モードでは他のリモコンＹに割り当てられる時間帯をも使って前記操作信号の無線送信を実行する。なお，図５に示す例は，リモコンＹ１が前記連続送信モードである場合の例である。
【００２８】
一方，前記通常モードにおいて，テレビジョン受像機Ｘ側の前記制御回路８は，前記操作信号受信回路６を通じて前記特定の操作信号（音量の連続的アップ指示する操作信号など）を受信した場合，前記特定の操作信号の送信元以外の他のリモコンＹに対し，前記音声データとともに操作信号の送信禁止指令を前記音声データ送信回路７を通じて赤外線信号により無線送信する。なお，前記送信禁止指令の送信先は，音声出力端末と接続されたリモコン，又は音声出力端末と一体に構成された（即ち，音声出力端末としても機能する）リモコンである。
そして，前記制御回路８は，前記送信禁止指令の送信後，次の前記隙間期間Ｔｓの発生時点から所定の解除条件が成立するまで前記占用モードに移行する。この占用モードでの前記隙間期間Ｔｓにおいては（即ち，前記解除条件が成立するまでの次以降の前記隙間期間Ｔｓにおいては），前記制御回路８は，前記隙間期間Ｔｓにおいて前記操作信号の受信に関する時分割制御を行わず，１つのリモコンＹ（即ち，前記特定の操作信号の送信元）からの操作信号（図５では操作信号ｄ２１）のみを受信し，受信した操作信号に応じた処理（音量アップ処理や音量ダウン処理等）を実行する。
【００２９】
前記占用モードの解除条件（前記禁止解除条件に相当）は，例えば，予め定められた時間が経過することや，或いは所定の解除要求を表す操作信号が前記リモコンＹから前記操作信号受信回路６を通じて受信されること等が考えられる。前記解除要求を表す操作信号は，例えば，前記リモコンＹにおいて，前記リモコン制御回路３２が，前記操作部３１に対する特定の操作（長押し操作等）が解除されたことを検知した場合に，前記操作信号送信回路３３を通じて無線送信する信号である。
また，前記制御回路８（前記マルチ画面制御手段の一例）は，前記占用モードであるとき（前記音声データ送信回路７を通じて前記送信禁止指令を送信してから前記解除条件が成立するまで），図６に示すように，前記送信禁止指令の送信先のリモコンＹに対応する表示中の映像画面に対応づけて，前記操作信号を受け付けない状態である旨を表す操作禁止マークｇｘを前記映像表示部２１にスーパーインポーズ（いわゆるＯＳＤ表示）によって表示させる。
これにより，前記特定の操作信号の送信元以外の他のリモコンＹの操作者（ユーザ）が，当該リモコンＹの故障等によって操作不能状態に陥っていると勘違いすることを防止できる。
【００３０】
一方，リモコンＹ側の前記リモコン制御回路３２は，前記通常モードにおいて，前記音声データ受信回路３４を通じて当該リモコンＹ宛ての前記送信禁止指令（前記テレビジョン受像機Ｘ側から前記音声データとともに送信される指令）が受信されたことを検知し，その送信禁止指令の受信を検知した場合，所定の解除条件が成立するまで前記送信禁止モードに移行する（前記送信禁止指令検知手段の一例）。
そして，前記送信禁止モードにおいては，前記リモコン制御回路３２は，前記解除条件が成立するまでの次以降の前記隙間期間Ｔｓにおいて，前記操作信号送信回路３３による前記操作信号の送信を禁止する（前記操作信号送信禁止手段の一例）。
これにより，前記連続送信モードの状態である他のリモコンＹとの間で送信信号（赤外線信号）の混信が生じることを回避できる。
前記送信禁止モードの解除条件（前記禁止解除条件に相当）は，例えば，予め定められた時間が経過することや，或いは所定の解除指令が前記テレビジョン受像機Ｘから前記音声データ受信回路３４を通じて受信されること等が考えられる。前記解除指令は，例えば，前記テレビジョン受像機Ｘにおいて，前記制御回路８が，前記操作信号送信回路３３を通じて前記解除要求を表す操作信号を受信した場合に，前記音声データ送信回路７を通じて前記音声データとともに無線送信する指令である。
【００３１】
以上に示したように，本発明に係る実施形態においては，マルチ画面表示機能を備えたテレビジョン受像機Ｘが，複数の表示画面に対応する音声データを音声信号出力機能を備えた複数のリモコンＹ１〜Ｙ３に対して無線送信するとともに，そのリモコンＹ１〜Ｙ３からの操作信号を無線受信するにあたり，複数の映像信号に対応する音声データｄ１１〜ｄ１３を複数のリモコンＹ１〜Ｙ３に対して無線送信するタイミングと，複数の表示画面に対応する複数のリモコンＹ１〜Ｙ３それぞれからの操作信号ｄ２１〜ｄ２３を無線受信するタイミングとを時分割により制御するものであるため，複数の表示画面ごとに赤外線信号の伝送手段を備えなくても，無線信号の混信を回避できる。従って，部品点数を極力増やすことなく簡易な構成によって複数の赤外線信号の混信を回避できる。また，３つ以上の赤外線信号についてもそれらの混信を回避できる。
さらに，前記テレビジョン受像機Ｘは，映像信号を前記映像信号バッファ５に一時蓄積してその映像の表示タイミングを遅延させている間に，その映像信号に対応する音声データを無線送信するので，テレビジョン受像機Ｘにおける映像の表示タイミングに対し，音声出力機能を備えたリモコンＹにおける音声出力タイミングが遅れる（ずれる）ことも回避できる。
また，前記リモコンＹは，１台の前記テレビジョン受像機Ｘに対して複数設けられるリモコンＹ１〜Ｙ３相互間で前記操作信号ｄ２１〜ｄ２３の送信タイミングが重複しないように，前記隙間期間Ｔｓの発生時点以降の予め定められたタイミングを事後的に個別に設定する（切り替える）機能（即ち，前記識別番号を設定する機能）を備えるため，１台のテレビジョン受像機Ｘに対して複数設けられる当該リモコンＹの共通化が図れる。
【００３２】
以上に示した実施形態では，音声データｄ１伝送用の無線信号と操作信号ｄ２伝送用の無線信号とが同じ赤外線信号（周波数帯が同じ）である場合の例を示したが，それら両赤外線信号の周波数帯の一部が重複する場合や，赤外線信号以外の無線信号を用いる場合等も考えられる。
また，以上に示した実施形態では，前記映像表示部２１に同時に表示される画面数が最大３つである場合の例を示したが，同画面数が最大２つ又は４つ以上である場合も考えられる。
また，以上に示した実施形態では，リモコンＹが前記音声データの受信機能及びその音声データに基づく音声信号の出力機能を有する例を示したが，それらの機能を備えた音声出力端末をリモコンＹから分離して構成することも考えられる。この場合，音声出力端末は，前記音声データ受信回路３４，前記音声復号化回路３５，前記アンプ３６及び前記音声出力部３７を備えた端末である。
【産業上の利用可能性】
【００３３】
本発明は，映像表示装置及びその操作端末に利用可能である。
【図面の簡単な説明】
【００３４】
【図１】本発明の実施形態に係る映像表示装置の一例であるテレビジョン受像機Ｘの概略構成を表すブロック図。
【図２】テレビジョン受像機Ｘとの間で無線信号の送受信を行うリモコンの概略構成を表すブロック図。
【図３】テレビジョン受像機Ｘとリモコンとの間における信号伝送のタイムチャート。
【図４】通常モード時におけるリモコンからテレビジョン受像機Ｘへの操作信号の送信タイミングを表すタイムチャート。
【図５】連続送信モード時におけるリモコンからテレビジョン受像機Ｘへの操作信号の送信タイミングを表すタイムチャート。
【図６】占用モード時におけるテレビジョン受像機Ｘの表示画面の一例を表す図。
【符号の説明】
【００３５】
Ｘ        ：テレビジョン受像機（映像表示装置）
Ｙ        ：リモコン（操作端末）
１ａ，１ｂ：チューナ
３        ：映像処理回路
４        ：画面合成切替回路
５        ：映像信号バッファ
６        ：操作信号受信回路
７        ：音声データ送信回路
８        ：制御回路
９        ：計時回路
１０      ：音声切替回路
１１      ：音声処理回路
１２      ：音声信号バッファ
１３      ：音声符号化回路
２１      ：映像表示部
２２      ：アンプ
２３      ：スピーカ
３１      ：操作部
３２      ：リモコン制御回路
３３      ：操作信号送信回路
３４      ：音声データ受信回路
３５      ：音声復号化回路
３６      ：アンプ
３７      ：音声出力部
【図１】
2009021753.tif 000003
【図２】
2009021753.tif 000004
【図３】
2009021753.tif 000005
【図４】
2009021753.tif 000006
【図５】
2009021753.tif 000007
【図６】
2009021753.tif 000008